(57)【要約】【課題】点眼の確実性を向上させることが可能な目薬容器を提供する。【解決手段】内容液を収容する収容空間に連通する筒状の口部５を有する容器本体３と、内容液の注出口２５を有し、口部５に装着される中栓７と、容器本体３に対して揺動可能に取り付けられた揺動体１１と、を備え、揺動体１１は、容器本体３に揺動可能に連結する一対の連結部３５と、該連結部３５を架け渡す天壁４１とを備え、天壁４１に、容器本体３を倒立姿勢で保持するにあたり、注出口２５を鉛直下向きに指向させる際にその中心が該注出口２５の中心軸線Ｃ上に位置する開口３９を設けたことを特徴とする。【選択図】図２
2015126787.tif 000002
【特許請求の範囲】
【請求項１】
内容液を収容する収容空間に連通する筒状の口部を有する容器本体と、
内容液の注出口を有し、前記口部に装着される中栓と、
前記容器本体に対して揺動可能に取り付けられた揺動体と、を備え、
前記揺動体は、前記容器本体に揺動可能に連結する一対の連結部と、該連結部を架け渡す天壁とを備え、
前記天壁に、容器本体を倒立姿勢で保持するにあたり、前記注出口を鉛直下向きに指向させる際にその中心が該注出口の中心軸線上に位置する開口を設けたことを特徴とする目薬容器。
【請求項２】
前記連結部は、容器本体の胴部に設けられた係合凸部に嵌合する係合孔部を有し、
該揺動体は、前記係合凸部を支点として揺動する、請求項１に記載の目薬容器。
【請求項３】
前記係合孔部が容器本体の軸線方向に延びる長孔状であり、前記揺動体が前記容器本体に対して該係合孔部の長手方向に移動可能である、請求項１又は２に記載の目薬容器。
【請求項４】
前記口部に着脱可能に装着され、前記収容空間を封止可能なキャップを有し、前記口部の外周面には、前記キャップの内周面に形成された内ねじに係合する外ねじ部が設けられ、該外ねじ部はねじ山が部分的に間欠する外ねじ間欠部を有し、
該外ねじ間欠部に前記揺動体の連結部が部分的に嵌まり込んだ状態で前記キャップが装着される、請求項３に記載の目薬容器。
【請求項５】
前記中栓は、その先端に前記注出口を有するとともに前記開口を貫通する注出筒を有する、請求項１〜４の何れか一項に記載の目薬容器。
【発明の詳細な説明】
【技術分野】
【０００１】
本発明は、目薬を正確に点眼するための目薬容器に関する。
【背景技術】
【０００２】
従来、目薬を点眼するために用いる目薬容器として、目の上方で容器本体を倒立姿勢で保持して、先端に設けられた注出口から目薬を滴下するものが知られている。このような目薬容器は、目薬を正確に点眼することが難しく、目に滴下できなかった目薬が無駄になっていた。
【０００３】
このような問題を解決することを目的として、例えば特許文献１には、水平器の付いた鏡を注出口の根元に設けた目薬容器が開示されている。この目薬容器は、鏡に映った自分の目を見るとともに鏡の水平も確認しながら点眼することで、点眼の確実性を高めている。
【先行技術文献】
【特許文献】
【０００４】
【特許文献１】特開２００７−８２９６８号公報
【発明の概要】
【発明が解決しようとする課題】
【０００５】
しかしながら、上記のような目薬容器においても、点眼の確実性には改善の余地があった。
【０００６】
本発明は、このような問題点を解決することを課題とするものであり、点眼の確実性を向上させることが可能な目薬容器を提供することを目的とする。
【課題を解決するための手段】
【０００７】
上記課題を解決するため、本発明に係る目薬容器は、内容液を収容する収容空間に連通する筒状の口部を有する容器本体と、
内容液の注出口を有し、前記口部に装着される中栓と、
前記容器本体に対して揺動可能に取り付けられた揺動体と、を備え、
前記揺動体は、前記容器本体に揺動可能に連結する一対の連結部と、該連結部を架け渡す天壁とを備え、
前記天壁に、容器本体を倒立姿勢で保持するにあたり、前記注出口を鉛直下向きに指向させる際にその中心が該注出口の中心軸線上に位置する開口を設けたことを特徴とする。
【０００８】
また、本発明に係る目薬容器にあっては、前記連結部は、容器本体の胴部に設けられた係合凸部に嵌合する係合孔部を有し、
該揺動体は、前記係合凸部を支点として揺動することが好ましい。
【０００９】
また、本発明に係る目薬容器にあっては、前記係合孔部が容器本体の軸線方向に延びる長孔状であり、前記揺動体が前記容器本体に対して該係合孔部の長手方向に移動可能であることが好ましい。
【００１０】
また、本発明に係る目薬容器にあっては、前記口部に着脱可能に装着され、前記収容空間を封止可能なキャップを有し、前記口部の外周面には、前記キャップの内周面に形成された内ねじに係合する外ねじ部が設けられ、該外ねじ部はねじ山が部分的に間欠する外ねじ間欠部を有し、
該外ねじ間欠部に前記揺動体の連結部が部分的に嵌まり込んだ状態で前記キャップが装着されることが好ましい。
【００１１】
また、本発明に係る目薬容器にあっては、前記中栓は、その先端に前記注出口を有するとともに前記開口を貫通する注出筒を有することが好ましい。
【発明の効果】
【００１２】
本発明によれば、点眼の確実性を向上させることが可能な目薬容器を提供することができる。
【図面の簡単な説明】
【００１３】
【図１】本発明の一実施形態に係る目薬容器を部分的に断面で示した正面図である。
【図２】図１の目薬容器に装着されたキャップを取り外して揺動体を引き出した状態を示す図である。
【図３】（ａ）は、図１の目薬容器の使用時の様子を表す図であり、（ｂ）は図３（ａ）の目薬容器を下方から見た図であり、（ｃ）は、図３（ａ）の目薬容器を、倒立姿勢で注出口を鉛直下向きに指向させ、下方から見た図である。
【発明を実施するための形態】
【００１４】
以下に、図面を参照して本発明の実施形態について具体的に説明する。図１に示すように、本実施形態に係る目薬容器１は、目薬（内容液）を収容する収容空間を形成する容器本体３と、当該収容空間に連通する口部５の上端に装着される中栓７と、中栓７を覆うように口部５に着脱可能に装着されるキャップ９と、容器本体３に揺動可能に取付けられた揺動体１１と、を備える。なお、図１に示す目薬容器１は、容器本体３の口部５にキャップ９を装着した非使用状態を表し、図２は、図１の状態からキャップ９を取り外して揺動体１１を上方に引き出した使用状態の目薬容器１を表している。
【００１５】
容器本体３は、底部１３の外縁から起立する筒状の胴部１５、胴部１５の上端から内側に延びる肩部１７、及び肩部１７の内縁から起立する円筒状の口部５で構成される。口部５の外周面には外ねじ部１９が設けられ、キャップ９の内周面に形成された内ねじ部２１と係合する。外ねじ部１９は、容器本体３の両側面側、すなわち、図１、２における左右方向の両側に、ねじ山が部分的に間欠した外ねじ間欠部２０を有する。
【００１６】
口部５の上端に設けられた中栓７は、先端に向けて先細り状に延びて、先端に注出口２５を有する注出筒（ノズル）２６と、注出筒２６の下端から外側に延びるフランジ２７と、フランジ２７の下面から垂下して口部５の内周面に嵌合する嵌合筒２９で構成されている。本実施形態において、注出口２５の中心軸線（以下、単に「軸線」という。）Cは、注出筒２６、口部５及び胴部１５の中心軸線と一致している。
【００１７】
容器本体３は、胴部１５の両側の側面から突出する一対の係合凸部３１を有する。図１に示すように、一対の係合凸部３１は、軸線Cに対して垂直な軸線D上に配置されており、揺動体１１の係合孔部３３に入り込んで、揺動体１１が揺動する際の支点となる。また、係合凸部３１が設けられた胴部１５の側面は、揺動体１１の連結部３５が収まるよう、上部が下部よりも内側に凹んでいる。
【００１８】
揺動体１１は、容器本体３に嵌合する一対の連結部３５と、中央に円形の開口３９を有し、連結部を架け渡す天壁４１とで構成される。図１に示す非使用状態において、天壁４１は口部５の上端に配置された中栓７のフランジ２７の上方に位置しており、天壁４１の開口３９を注出筒２６が貫通している。連結部３５は、天壁４１の外縁部から垂下して、図１に示す非使用状態で外ねじ間欠部２０に嵌まり込んで口部５の外周面に沿う上壁部３５ａと、容器本体３の胴部１５の側面に沿う下壁部３５ｂと、上壁部３５ａ及び下壁部３５ｂを繋ぐ中間壁部３５ｃとで構成される。下壁部３５ｂには、上述の係合孔部３３が形成されている。本実施形態において係合孔部３３は、容器本体３の軸線方向、すなわち軸線Ｃの方向を長手方向として、下壁部３５ｂの延在方向に沿って延びる長孔状である。これにより、本実施形態において揺動体１１は、容器本体３に対して、図１に示す容器本体３への収容状態から、図２に示す最大に引き出された状態まで軸線Ｃに沿うように移動可能である。本実施形態において揺動体１１は、図１に示す容器本体３への収容状態から、キャップ９を外して倒立姿勢にする際に、揺動体１１の自重により図２に示す状態まで移動する構成となっている。また、本実施形態においては、注出筒２６が天壁４１の開口３９を貫通しているため、注出筒２６の外面と、開口３９の内周縁が当接することにより揺動体１１の揺動範囲は制限されている。
【００１９】
以下、本実施形態の目薬容器１の使用方法について説明する。ここで、図３（ａ）は、使用時の目薬容器１を側面側から見た図である。なお、図３（ａ）に示すように、揺動体１１が揺動する際の中心軸となる軸線Ｄは、軸線Ｃと交差している。すなわち、軸線Ｃと軸線Ｄとは、目薬容器１における奥行き方向の位置が一致している。また、容器本体３の倒立状態において、注出口２５が鉛直下向きとなる際に、揺動体１１は、自重により開口３９の中心が軸線Ｄの真下に位置するよう揺動する。
【００２０】
本実施形態の目薬容器１を使用する場合には、図１に示す非使用状態から、キャップ９を取り外した後、胴部１５を把持して容器本体３を倒立姿勢で目の上方に配置し、胴部を押圧することで目薬を注出口２５滴下させる。このとき、図３（ａ）に示すように、注出口２５が鉛直下向きとなっていない場合、すなわち、軸線Ｃが鉛直でない場合には、天壁４１の開口３９の中心が軸線Ｃ上に位置せず、目薬を点眼しようとする目からは、図３（ｂ）のように注出口２５が開口３９の一方側に偏って見える。この状態で目薬を滴下すると、図３（ａ）に破線で示す矢印のように目から外れてしまう虞がある。
【００２１】
一方、注出口２５が鉛直下向きとなっている場合、すなわち、軸線Ｃが鉛直である場合には、開口３９の中心が軸線Ｃ上に位置し、目薬を点眼しようとする目からは、図３（ｃ）に示すように、注出口２５が開口３９の中心に見える。このように、開口３９の中心に注出口２５が位置するよう目薬容器を保持した状態で点眼することにより、正確に点眼することができる。
【００２２】
以上のように、本実施形態の目薬容器１にあっては、点眼をする際に注出口２５が開口３９の中心に位置するよう目薬容器１を保持することで、より正確に注出口２５を鉛直下向きに向けることができるので、点眼の確実性を向上させることができる。
【００２３】
また、本実施形態の目薬容器１にあっては、揺動体１１の係合孔部３３を長孔状として容器本体３に対する軸線Ｃに沿う方向の移動を可能とするとともに、揺動体１１の上壁部３５ａが外ねじ間欠部２０に嵌まり込む構成としたことで、非使用時における目薬容器１の全体としての大きさを小さくすることができる。
【００２４】
以上、図示例に基づき説明したが、本発明は上述の実施形態に限定されるものでなく、特許請求の範囲の記載範囲内で適宜変更することができるものであり、例えば上記実施形態の目薬容器１は、揺動体の開口を円形状として説明したが、楕円形状や多角形状等の構成としても良い。
【符号の説明】
【００２５】
１    目薬容器
３    容器本体
５    口部
７    中栓
９    キャップ
１１  揺動体
１３  底部
１５  胴部
１７  肩部
１９  外ねじ部
２０  外ねじ間欠部
２１  内ねじ部
２５  注出口
２６  注出筒
２７  フランジ
２９  嵌合筒
３１  係合凸部
３３  係合孔部
３５  連結部
３５ａ  上壁部
３５ｂ  下壁部
３５ｃ  中間壁部
３９  開口
４１  天壁
【図１】
2015126787.tif 000003
【図２】
2015126787.tif 000004
【図３】
2015126787.tif 000005